(57)【要約】【課題】フィルムロールから繰出されるマルチフィルムの終了をマルチ作業者に直ちに知らせることのできるマルチ作業機を提供する。【解決手段】トラクター等の機体の後部に連結してなり、畝立成形板５により成形した畝Ａの表面に対しマルチフィルム１１を繰出すフィルムロール１０と、前記繰出したマルチフィルム１１を前記畝Ａの表面に押圧する押えロール２６と、前記畝の表面に押圧したマルチフィルム１１の両側端部を前記畝の両側で踏圧する一対の踏圧輪１７とを具備するマルチ作業機において、フィルムロール１０からマルチフィルム１１の終端１１ａが繰出された時にマルチフィルム１１の終端１１ａを検出する検出器２７をフィルムロール１０の下流側に設け、検出器２７の検出信号により作動する報知器２８をさらに設ける。【選択図】図４
0003122171.tif 000002
【実用新案登録請求の範囲】
【請求項１】
トラクター等の機体の後部に連結され、畝立成形板により成形した畝の表面に対しマルチフィルムを繰出すフィルムロールと、前記繰出したマルチフィルムを前記畝の表面に押圧する押えロールと、前記畝の表面に押圧したマルチフィルムの両側端部を前記畝の両側で踏圧する一対の踏圧輪とを具備するマルチ作業機において、前記フィルムロールからマルチフィルムの終端が繰出された時に当該マルチフィルムの終端を検出する検出器を前記フィルムロールの下流側に設け、さらに前記検出器の検出信号により作動する報知器を設けてなることを特徴とするマルチ作業機。
【請求項２】
前記検出器は、前記フィルムロールから繰出されたマルチフィルムの張力面上に設置して当該マルチフィルムの終端の通過に伴い自重で所定量だけ下降する接触ローラと、この接触ローラの下降により報知器を作動させるリミットスイッチとを具備することを特徴とする請求項１記載のマルチ作業機。
【請求項３】
前記フィルムロールから繰出したマルチフィルムは、張力ロールに巻き掛けて前記押さえロールに向かわせる構成とし、それらフィルムロールと張力ロールの間の張力面の上に前記接触ロールを設置することを特徴とする請求項２記載のマルチ作業機。
【請求項４】
前記検出器は、マルチフィルムの終端の通過により報知器を作動させる非接触式の近接スイッチまたは光電スイッチであることを特徴とする請求項１記載のマルチ作業機。
【請求項５】
前記報知器は、ブザー又はランプであることを特徴とする請求項１ないし請求項４記載のマルチ作業機。
【考案の詳細な説明】
【技術分野】
【０００１】
本考案は、トラクター等の機体の進行によりフィルムロールから繰出されたマルチフィルムを畝の表面に被覆作業するマルチ作業機に関し、特にマルチフィルムの終了を直ちに知ることのできるマルチ作業機に関する。
【背景技術】
【０００２】
一般に、葉たばこや甘藷などの栽培において、地温上昇、養生などの目的で、圃場を耕耘して畝立成形し、畝立成形した畝の表面にマルチフィルムを被覆することが行われている。
この畝立成形およびマルチフィルムの被覆作業には、トラクター等の機体の後部等に連結されるロータリ耕耘機およびマルチ作業機を用いて行われるが、これらの作業は、機体の進行により圃場をまずロータリ耕耘機のロータリが回転して耕耘し、耕耘した土をロータリ耕耘機直後の畝立成形板が畝立成形し、次にマルチ作業機のフィルムロールからマルチフィルムを畝の表面に繰出して同フィルムを中央の押えロールで押圧し、フィルムの両側端部を一対の踏圧輪で踏圧して、同両側端部に覆土輪で覆土し、これによりマルチフィルムを畝の表面に被覆するようになっている（例えば特許文献１、特許文献２参照）。
【０００３】
【特許文献１】特開平１−３４２１９号公報
【特許文献２】特公平２−１２５２３号公報
【考案の開示】
【考案が解決しようとする課題】
【０００４】
しかしながら、トラクター等の機体の後部に連結されたマルチ作業機のフィルムロールからマルチフィルムが無くなった場合、作業者がこれに気付かずにそのまま畝立作業を続けることがしばしばあった。
特に、葉たばこの場合のマルチ作業は、冬季の１２月から１月にかけて寒風の中で作業が行われ、天気の合間を見据えたスポット作業として、要領よく短時間のスムーズな作業が求められるところ、葉たばこの畝の長さは５０〜１００ｍ程度になることが一般的であり、前記したように、しばしばフィルムロールからマルチフィルムが途中で無くなり、畝立の終了時点でやっと気付き、再度畝立作業を行うのが通例となっていた。
【０００５】
また、上記マルチ作業は、施肥作業を含む総合的な一貫作業となっており、進行方向の機体の操舵に注意していると、マルチフィルムの無くなったことに気付かず、後方のマルチフィルムの残量確認に気を使うと、畝立作業が蛇行運転になってしまうという問題があった。
【０００６】
本考案は上記課題に鑑みてなされたもので、第１の課題は、フィルムロールから繰出されるマルチフィルムの終了を作業者に直ちに知らせることのできるマルチ作業機を提供することを目的とする。
【０００７】
本考案の第２の課題は、フィルムロールから繰出されるマルチフィルムの終了を簡単な構造で作業者に知らせることのできるマルチ作業機を提供することを目的とする。
【課題を解決するための手段】
【０００８】
上記課題を解決するために、本考案に係る請求項１のマルチ作業機は、トラクター等の機体の後部に連結してなり、畝立成形板により成形した畝の表面に対しマルチフィルムを繰出すフィルムロールと、前記繰出したマルチフィルムを前記畝の表面に押圧する押えロールと、前記畝の表面に押圧したマルチフィルムの両側端部を前記畝の両側で踏圧する一対の踏圧輪とを具備するマルチ作業機において、前記フィルムロールからマルチフィルムの終端が繰出された時に当該マルチフィルムの終端を検出する検出器を前記フィルムロールの下流側に設け、前記検出器の検出信号により作動する報知器をさらに設けたことを特徴とする。
【０００９】
請求項１のマルチ作業機によると、マルチフィルムの終端を検出する検出器と、検出器の検出信号により作動する報知器とを設けたから、畝立作業の途中で、フィルムロールに巻回したマルチフィルムの終了を報知器により作業者に直ちに知らせることができる。これにより、作業者がトラクター等の機体の運転中に後部を気にすることなく安心してマルチフィルムの被覆作業を行うことができる。また、後部を気にせずにすむので、畝立作業において蛇行運転とならず、被覆作業を安定して行うことができる。さらに、畝立作業の終了時点になってマルチフィルムが途中で無くなったことに気付く問題を防止でき、畝立およびマルチフィルムの被覆作業を再度行う必要がなくなる。これによって、畝立およびマルチフィルムの被覆作業を要領良く短時間にスムーズに行うことができる。
【００１０】
本考案に係る請求項２のマルチ作業機は、前記検出器が、前記フィルムロールから繰出されたマルチフィルムの張力面上に設置して当該マルチフィルムの終端の通過に伴い自重で所定量だけ下降する接触ローラと、この接触ローラの下降により報知器を作動させるリミットスイッチとを具備することを特徴とする。
【００１１】
検出器を、接触ロールとリミットスイッチを具備する簡単な構造とすることができ、これを安価に製作することができる。これにより、フィルムロールから繰出されるマルチフィルムの終了を簡単な構造で作業者に知らせることのできるマルチ作業機を実現できる。なお、リミットスイッチと報知器を作動させる電源はトラクター等の機体に装備されたバッテリー等の電源を利用できる。
【００１２】
本考案に係る請求項３のマルチ作業機は、前記フィルムロールから繰出したマルチフィルムを張力ロールに巻き掛けて前記押さえロールに向かわせる構成とし、それらフィルムロールと張力ロールの間の張力面の上に前記接触ロールを設置することを特徴とする。
【００１３】
請求項３のマルチ作業機によると、フィルムロールと張力ロールの間に張力を付与してなる張力面の上に接触ロールを設置するので、フィルムロールから一定の張力でもってマルチフィルムが安定的に繰出される。したがって、接触ロールもマルチフィルム上を安定して転動する一方、フィルムロールからマルチフィルムの終端が繰出された時にマルチフィルムに付与された張力がなくなり、マルチフィルムの終端の通過に伴い、接触ロールが自重により確実に下降する。これにより、確実にリミットスイッチを作動させて報知器の作動も確実なものとする。
【００１４】
本考案に係る請求項４のマルチ作業機は、前記検出器が、マルチフィルムの終端の通過により報知器を作動させる非接触式の近接スイッチまたは光電スイッチであることを特徴とする。
【００１５】
フィルムロールから繰出されるマルチフィルムの終了を簡単な構造で作業者に知らせることのできるマルチ作業機を実現できる。なお、近接スイッチまたは光電スイッチと報知器を作動させる電源はトラクター等の機体に装備されたバッテリー等の電源を利用できる。
【００１６】
本考案に係る請求項５のマルチ作業機は、前記報知器が、ブザー又はランプであることを特徴とする。
【００１７】
請求項５のマルチ作業機によると、ブザーによる音又はランプによる光のいずれか一方を用いて、トラクター等の機体上の作業者に対し、フィルムロールに巻回したマルチフィルムの終了を直ちに知らせることができる。
【考案の効果】
【００１８】
以上説明したように、本考案に係るマルチ作業機によると、マルチフィルムの終端を検出する検出器と、検出器の検出信号により作動する報知器とを設けたから、畝立作業の途中で、フィルムロールに巻回したマルチフィルムの終了を報知器により直ちに知ることができる効果を奏する。これにより、新たなフィルムロールに交換して、圃場の畝立作業の最後に至るまでマルチフィルムの被覆作業を要領よく行うことができる効果を奏する。
【考案を実施するための最良の形態】
【００１９】
以下、本考案を実施するための最良の形態を図面を参照して説明する。図１ないし図３において、符号１は、ロータリ耕耘機、符号２はマルチ作業機を示している。
【００２０】
ロータリ耕耘機１は、トラクタ（図示せず）の後部に装備された取付ヒッチ３に連結して、トラクタに牽引されながらロータリ４の回転により圃場を耕耘するもので、後方の畝立成形板５により断面台形状の畝Ａを形成することができる。ロータリ４の上方部はカバー体６により覆われており、カバー体６の上部に連結された３点リンク７を動かすことで、耕耘機全体を上下動可能とする。なお、図１の符号８はトラクタの車輪を示している。
【００２１】
マルチ作業機２は、ロータリ耕耘機１の後方に連結具９により機枠を連結して、トラクタに牽引されながらフィルムロール１０から繰出されるマルチフィルム１１を畝Ａの表面に対し被覆作業するものである。かかるマルチ作業機２は、角筒状の横枠部材１２が幅方向に配設されるとともに、横枠部材１２の下面に畝Ａを跨る間隔で一対の垂直枠部材１３、１３が固着され、垂直枠部材１３、１３の下端に畝立成形板５の両脇に位置する接地輪１４、１４が回転自在に装着されている。横枠部材１２の後面には両端付近から後方に延び途中から斜め下方に延びる後方アーム部材１５、１５が固着されている。後方アーム部材１５、１５の各下端部にはブラケット１６を介して踏圧輪１７がそれぞれ回転自在に装着されている。更に、同じく後方アーム部材１５、１５の各下端部には踏圧輪１７の後方に位置する覆土輪１８がそれぞれ回転自在に装着されている。
【００２２】
畝立成形板５の上方には前記フィルムロール１０が配設されている。このフィルムロール１０は、ロール本体１０ａにマルチフィルム１１が多重に巻回された構成をしており、ロール本体１０ａが左右のブラケット１９、１９の間に回転自在に支持されている。各ブラケット１９は後方アーム部材１５、１５間に横架された角筒状の横パイプ２０の両端に上端部を挿入して吊下げられており、締付ボルト２１により固定されている。前記フィルムロール１０の前方で垂直枠部材１３の後方にはフィルムロール１０から繰出しされたマルチフィルム１１に張力を付与する張力ロール２２が配設されている。この張力ロール２２は後述する支持部材２４の垂直部２４ａの下端にガイド部材２３を介して取付けられ前方に水平に延びるブラケット２２ａにより回転自在に支持されている。このブラケット２２ａの前端には横方向に延びながら後方下方に湾曲するフィルムガイド２２ｂが取付けられている。
【００２３】
横パイプ２０の上面の幅方向中央にはガイド部材２３を介して前後方向に延びる支持部材２４が締付ボルト２１により固定されている。この支持部材２４の後方途中から直角下方に延びる垂直部２４ａにはガイド部材２３を介してブラケット２５が締付ボルトにより吊下げられており、このブラケット２５により押えロール２６が回転自在に支持されている。押えロール２６は、畝立成形板５により断面台形状に成形された畝Ａを押圧して断面円弧状に整形するとともに、フィルムロール１０から張力ロール２２を介して繰出されるマルチフィルム１１を畝の表面に対し押圧して被覆する役目をする。
【００２４】
一方、横パイプ２０と横枠部材１２の間で左右方向略中央位置に、横枠部材１２から後方に延びる取付部材１２ａを介して本考案の特徴であるマルチフィルムの終端検出器２７が配設されている。このマルチフィルムの終端検出器２７は、フィルムロール１０から繰出しされるマルチフィルム１１の終端を検出し、報知ブザー２８（報知手段）による音発信をすることでマルチフィルム１１の終了を作業者に直ちに知らせる役目をする。図６および図７に示すように、フィルムロール１０と張力ロール２２との間で張設されたマルチフィルム１１の上面に接触ローラ２９を乗せ、マルチフィルム１１が無くなると接触ローラ２９が自重で所定量下降して、調整バー３０がリミットスイッチ３１を押し、報知ブザー２８を鳴らす簡単な構造となっている。
【００２５】
前記接触ローラ２９は、図４に示すように、フィルムロール１０の近傍に位置し、上下方向に延びる左右一対のスライドシャフト３２、３２の下端の間に回転自在に軸支されている。各スライドシャフト３２、３２は、図５に示すように、収容箱３３の内面に取付固定されたガイドブッシュ３４により収容箱３３の内部で上下方向にスライド自在に支持されている。各スライドシャフト３２、３２の下端は収容箱３３の下面から下方に突出し、収容箱３３の下方の前記接触ローラ２９を軸支する。
【００２６】
前記調整バー３０は、一方のスライドシャフト３２に対し外嵌される筒部３０ａと、この筒部３０ａの側面から突出する水平板３０ｂとから構成され、固定ボルト３５により筒部３０ａをスライドシャフト３２に対し固定して、水平板３０ｂの上下位置を調整する。また、前記リミットスイッチ３１は、アクチュエータ３６のローラ３６ａが調整バー３０の水平板３０ｂにより押下げ操作されたときに、電気のスイッチが入り報知ブザー２８を鳴らせる一方、アクチュエータ３６のローラ３６ａに外力が加わらないときは電気のスイッチが入らない仕組みになっている。ブザー２８とリミットスイッチ３１は収容箱３３に内蔵され、それぞれを作動させる電源は前記トラクターのバッテリー３７を電源とし、バッテリー３７側の配線３８とブザー２８とリミットスイッチ３１側の各配線３８を接続ジャック３９で接続し、作動させる。
【００２７】
次に、以上のように構成されたロータリ耕耘機１、マルチ作業機２を用いた畝立成形およびマルチ作業方法を以下に説明する。
【００２８】
図１に示すように、トラクターの後部にロータリ耕耘機１、マルチ作業機２を連結し、圃場内を走行させる。まず、トラクターの走行により、ロータリ耕耘機１が圃場を耕耘し、畝立成形板５により畝Ａが成形される。次いで、フィルムロール１０から繰出しされたマルチフィルム１１により畝Ａへの被覆が行われるが、畝Ａの表面に対しマルチフィルム１１上を押えロール２６が転動しつつ進行する。これにより、押えロール２６は畝Ａの表面を押圧するとともに、畝を高く円弧状に成形する。畝を被覆したマルチフィルム１１は、左右の踏圧輪１７により両端部が踏圧されるとともに、覆土輪１８による覆土が行われ、これによりマルチフィルム１１の敷設が行われる。
【００２９】
トラクターの走行中、フィルムロール１０から繰出しされるマルチフィルム１１は、図６に示すように、走行方向Ｂの前方の接触ロール２９、張力ロール２２を経て反転し、後方の押えロール２６へと向かう。フィルムロール１０には、例えば５０ｍ分のマルチフィルム１１が巻かれており、フィルムロール１０のマルチフィルム１１が無くなったら、新しいフィルムロール１０に交換する必要がある。図７に示すように、フィルムロール１０からマルチフィルム１１の終端１１ａが繰出しされたら、終端検出器２７の接触ロール２９が自重により下降し、図５のリミットスイッチ３１が作動して、報知ブザー２８が鳴る。報知ブザー２８が鳴ることにより作業者はマルチフィルム１１の終了を直ちに知ることができ、トラクターの走行を停止し、空のロール本体１０ａを新しいフィルムロールと交換する。新しいフィルムロールの装着後、マルチフィルム１１を繰出して接触ロール２９をその上面に乗せ、張力ロール２２に巻き掛けて、押えロール２６まで引き出し、畝の被覆作業を再開する。
【００３０】
前記実施形態の終端検出器２７は、接触ローラ２９の代わりに、マルチフィルム１１の終端を検出できる非接触式の近接スイッチまたは光電スイッチを用いることもできる。図８に示す例は、光電スイッチ（光電センサー）４０を用いた例であり、張力ロール２２と踏圧輪１７の間のマルチフィルム１１と交差するように、一方の投光器４０Ａを後方アーム部材１５のアーム部分に取り付け、他方の受光器４０Ｂを垂直枠部材１３の下側部分に取り付けたものである。マルチフィルム１１がある間は、投光器４０Ａからの光をマルチフィルム１１が遮光し受光器４０Ｂが受光せず（スイッチＯＦＦの状態）、マルチフィルム１１の終端が通過すると、受光器４０Ｂが受光して（スイッチＯＮ）、マルチフィルム１１の終端を検出することができる。投光器４０Ａと受光器４０Ｂは逆の位置に取り付けてもよい。光電スイッチは、一方に投光部を他方に受光部を備えるコ字形の溝部分にマルチフィルム１１を通過させるタイプのものを採用することもできる。
【００３１】
また、マルチフィルム１１の終了を作業者へ報知する手段として、報知ブザー２８の代わりに、点灯式のランプをトラクターの前部または側部に設置するようにしてもよい。トラクターのエンジン音が大きく、報知ブザー２８の音が聞き取りにくい場合などは点灯式のランプが好適である。
【産業上の利用可能性】
【００３２】
本考案に係るマルチ作業機は、圃場を耕耘機で耕耘した後に畝立成形した畝にマルチフィルムを被覆するマルチ作業に利用することができる。
【図面の簡単な説明】
【００３３】
【図１】本考案に係るマルチ作業機を示す側面図、
【図２】図１に示すマルチ作業機の平面図、
【図３】図１に示すマルチ作業機の背面図、
【図４】図１に示すマルチ作業機の要部を示す斜視図、
【図５】マルチフィルムの終端検出器を示す斜視図、
【図６】図５のマルチフィルムの終端検出器の作用を示す説明図、
【図７】図５のマルチフィルムの終端検出器の作用を示す説明図である。
【図８】マルチフィルムの終端検出器の別の例を示す側面図である。
【符号の説明】
【００３４】
１  ロータリ耕耘機
２  マルチ作業機
３  取付ヒッチ
４  ロータリ
５  畝立成形板
６  カバー体
７  ３点リンク
８  車輪
９  連結具
１０  フィルムロール
１０ａ  ロール本体
１１  マルチフィルム
１１ａ  マルチフィルムの終端
１２  横枠部材
１２ａ  取付部材
１３  垂直枠部材
１４  接地輪
１５  後方アーム部材
１６、１９、２２ａ、２５  ブラケット
１７  踏圧輪
１８  覆土輪
２０  横パイプ
２１  締付ボルト
２２  張力ロール
２２ｂ  フィルムガイド
２３  ガイド部材
２４  支持部材
２４ａ  垂直部
２６  押えロール
２７  マルチフィルムの終端検出器
２８  報知ブザー
２９  接触ローラ
３０  調整バー
３０ａ  筒部
３０ｂ  水平板
３１  リミットスイッチ
３２  スライドシャフト
３３  収容箱
３４  ガイドブッシュ
３５  固定ボルト
３６  アクチュエータ
３６ａ  ローラ
３７  バッテリ
３８  配線
３９  接続ジャック
４０  光電スイッチ
４０Ａ  投光器
４０Ｂ  受光器
Ａ  畝
Ｂ  進行方向
【図１】
0003122171.tif 000003
【図２】
0003122171.tif 000004
【図３】
0003122171.tif 000005
【図４】
0003122171.tif 000006
【図５】
0003122171.tif 000007
【図６】
0003122171.tif 000008
【図７】
0003122171.tif 000009
【図８】
0003122171.tif 000010
【手続補正書】
【提出日】平成18年3月27日(2006.3.27)
【手続補正１】
【補正対象書類名】図面
【補正対象項目名】図２
【補正方法】変更
【補正の内容】
【図２】
0003122171.tif 000011